(57)【要約】【課題】    データ構成が互いに異なるデジタルインターフェース信号を、簡単な回路構成を用いて容易に切替て入力できるテレビジョン受信機を提供する。【解決手段】  テレビジョン受信機１００は、ＨＤＭＩ入力端子１ａとＤＶＩ入力端子１ｂを有し、ＨＤＭＩ信号とＤＶＩ信号の切替を、ＨＤＭＩ機器１０９又はＤＶＩ機器１１０との接続を替えることなく再生する。ＨＤＭＩ信号またはＤＶＩ信号は切替えスイッチ３を介してＨＤＭＩ信号処理部４に入力される。切替えスイッチ３はＣＰＵ６によって切替えられる。【選択図】    図１
2006019947.tif 000002
【特許請求の範囲】
【請求項１】
第１デジタル信号を入力するための第１デジタルインターフェース端子と、
前記第１デジタル信号とはデータ構成が異なる第２デジタル信号を入力するための第２デジタルインターフェース端子と、
前記第１デジタルインターフェース端子を介して入力される前記第１デジタル信号と、前記第２デジタルインターフェース端子を介して入力される前記第２デジタル信号の一方を選択して出力する選択手段と、
前記選択手段により選択されたデジタル信号に含まれる映像信号を抽出して出力する映像出力手段と、前記選択手段により選択されたデジタル信号に含まれる音声信号を抽出して出力する音声出力手段とを有する信号抽出手段と、
前記信号抽出手段により抽出された映像信号に基づいて、映像を表示する表示手段と、
前記信号抽出手段により抽出された音声信号に基づいて、音声を出力する音声出力手段と、
を具備することを特徴とするテレビジョン受信機。
【請求項２】
映像信号及び音声信号を含む第１デジタル信号を入力するための第１デジタルインターフェース端子と、
映像データを含む第２デジタル信号を入力するための第２デジタルインターフェース端子と、
前記第１デジタルインターフェース端子を介して入力される前記第１デジタル信号と、前記第２デジタルインターフェース端子を介して入力される前記第２デジタル信号の一方を選択して出力する選択手段と、
前記選択手段により選択された前記デジタル信号に含まれる映像信号を抽出して出力する映像出力手段と、前記選択手段により選択された前記デジタル信号に含まれる音声信号を抽出して出力する音声出力手段とを有する信号抽出手段と、
前記信号抽出手段により抽出された前記映像信号に基づいて、映像を表示する表示手段と、
前記信号抽出手段により抽出された前記音声信号に基づいて、音声を出力する音声出力手段と、
を具備することを特徴とするテレビジョン受信機。
【請求項３】
前記選択手段は、前記第１，第２デジタルインターフェース端子に入力された信号の種類を判別し、その判別結果により自動的に選択するようにしたことを特徴とする請求項２記載のテレビジョン受信機。
【請求項４】
ＨＤＭＩ(High-Definition Multimedia Interface)入力端子と、
ＤＶＩ(Digital Video Interface)入力端子と、
前記ＨＤＭＩ端子を介して入力される第１デジタル信号と、ＤＶＩ端子を介して入力される第２デジタル信号の一方のデジタル信号を選択して出力する選択手段と、
前記選択手段により選択された前記デジタル信号に含まれる映像信号を抽出して出力する映像出力手段と、前記選択手段により選択された前記デジタル信号に含まれる音声信号を抽出して出力する音声出力手段とを有する信号抽出手段と、
前記信号抽出手段により抽出された前記映像信号に基づいて、映像を表示する表示手段と、
前記信号抽出手段により抽出された前記音声信号に基づいて、音声を出力する音声出力手段と、
を具備することを特徴とするテレビジョン受信機。
【請求項５】
前記選択手段は、前記ＨＤＭＩ入力端子と、前記ＤＶＩ端子に入力された信号の種類を判別し、その判別結果により自動的に選択するようにしたことを特徴とする請求項４記載のテレビジョン受信機。
【発明の詳細な説明】
【技術分野】
【０００１】
この発明は、信号入力端子として複数のデジタルインターフェース端子を備え、入力された信号のいずれかを選択し、選択された信号に基づいて映像を表示し、音声を出力するテレビジョン受信機に関する。
【背景技術】
【０００２】
従来から普及しているテレビジョン受信機は、例えばアナログビデオ信号を外部入力信号として入力する入力端子を備えている。テレビジョン受信機は、この入力端子を介してＶＴＲ等の外部機器からアナログビデオ信号を受け取り、このアナログビデオ信号に基づく映像を表示する。
【０００３】
近年、ＰＣ(Personal Computer)用ディスプレイ等に適用されるデジタル映像データを転送するためのインターフェースとしてＤＶＩ(Digital Video Interface)が規格化された。下記特許文献１には、ＤＶＩビデオ信号を入力し、対応する映像を表示する画像表示装置が説明されている。
【特許文献１】特開２００３−２３３３６４号公報
【発明の開示】
【発明が解決しようとする課題】
【０００４】
最近になって、次世代テレビ向けのデジタルインターフェース規格として、ＨＤＭＩ(High-Definition Multimedia Interface)の規格が確立された。
【０００５】
デジタルインターフェースを有する従来のＴＶは、例えばＨＤＭＩ端子のみ又はＤＶＩ端子のみというように、一系統のインターフェース端子のみを有していた。ＨＤＭＩ端子のみ有しているＴＶにＤＶＩ機器を接続するには、ＨＤＭＩ−ＤＶＩ変換ケーブルつまりアダプターを使用しなければならなかった。同様にＤＶＩ端子のみ有しているＴＶも、ＨＤＭＩ機器を接続するには変換ケーブルが必要であった。つまり、ＨＤＭＩ機器とＤＶＩ機器を切替えるには、変換ケーブルの抜差しが必要であった。
【０００６】
従って本発明は、データ構成が互いに異なるデジタルインターフェース信号を、簡単な回路構成を用いて容易に切替て入力できるテレビジョン受信機を提供することを目的とする。
【課題を解決するための手段】
【０００７】
本発明の一実施形態に係るテレビジョン受信機は、第１デジタル信号を入力するための第１デジタルインターフェース端子と、前記第１デジタル信号とはデータ構成が異なる第２デジタル信号を入力するための第２デジタルインターフェース端子と、前記第１デジタルインターフェース端子を介して入力される前記第１デジタル信号と、前記第２デジタルインターフェース端子を介して入力される前記第２デジタル信号の一方を選択して出力する選択手段と、前記選択手段により選択されたデジタル信号に含まれる映像信号を抽出して出力する映像出力手段と、前記選択手段により選択されたデジタル信号に含まれる音声信号を抽出して出力する音声出力手段とを有する信号抽出手段と、前記信号抽出手段により抽出された映像信号に基づいて、映像を表示する表示手段と、前記信号抽出手段により抽出された音声信号に基づいて、音声を出力する音声出力手段とを具備する
又、本発明の一実施形態に係るテレビジョン受信機は、ＨＤＭＩ入力端子とＤＶＩ入力端子を有し、ＨＤＭＩ信号とＤＶＩ信号の切替を、ＨＤＭＩ機器又はＤＶＩ機器との接続を替えることなく再生する。ＨＤＭＩ信号またはＤＶＩ信号は切替えスイッチを介して信号処理部に入力される。
【発明の効果】
【０００８】
データ構成が互いに異なるデジタルインターフェース信号を、簡単な回路構成を用いて容易に切替て入力できるテレビジョン受信機が提供される。
【発明を実施するための最良の形態】
【０００９】
以下、図面を参照しながら本発明の実施の形態について詳細に説明する。
【００１０】
図１は本発明の一実施形態が適用されるテレビジョン受信機１００の構成を示すブロック図である。テレビジョン受信機１００は、ＨＤＭＩ入力端子１ａ、ＤＶＩ入力端子１ｂ、アナログ信号入力端子２、切替スイッチ３、ＨＤＭＩ信号処理部４、ＨＤＤ５、ＣＰＵ６、メモリ７、チューナ８、デコーダ９、グラフィック処理部１０、出力制御部１１、表示部１２、スピーカ１３、入力端子１４及び操作部１５を備えている。
【００１１】
操作部１５は例えばリモートコントローラであり、各種入力操作を受けつけるための様々なキーが設けられている。ＣＰＵ６は操作部１５からの入力信号に基づいて、テレビジョン受信機１００の各部を制御する。メモリ７は各種制御プログラムを格納するＲＯＭ及びＣＰＵ６の作業エリアとして使用されるＲＡＭを含む。
【００１２】
ＨＤＭＩ機器１０９とテレビジョン受信機１００とはＨＤＭＩ専用ケーブル１０５で接続される。ＤＶＩ機器１１０とテレビジョン受信機１００とはＤＶＩ専用ケーブル１０６で接続される。アナログ機器１０８とテレビジョン受信機１００とはアナログ信号ケーブル１０７で接続される。
【００１３】
ＨＤＭＩ入力端子１ａはＨＤＭＩ機器１０９からＨＤＭＩ信号（映像及び音声データ）を入力し、ＤＶＩ入力端子１ｂはＤＶＩ機器１１０からＤＶＩ信号（映像データ）を入力し、アナログ入力端子２はアナログ機器１１１からアナログ信号（映像及び音声信号）を入力する。
【００１４】
ＨＤＭＩ入力端子１ａからのＨＤＭＩ信号、ＤＶＩ入力端子１ｂからのＤＶＩ信号、及びアナログ入力端子２からのアナログ信号は、外部入力信号として切替スイッチ３に供給される。切替スイッチ３はＨＤＭＩ入力端子１ａからのＨＤＭＩ信号、ＤＶＩ入力端子１ｂからのＤＶＩ信号、及びアナログ入力端子２からのアナログ信号のうち１つの信号を選択する。切替スイッチ３は、ＨＤＭＩ信号又はＤＶＩ信号を選択した場合、選択した信号をＨＤＭＩ信号処理部４に提供し、アナログ信号を選択した場合、選択した信号を出力制御部に提供する。
【００１５】
ＤＶＩはＰＣ用ディスプレイ等に適用されるデジタル映像データを転送するためのインターフェースであり、映像データをシリアルに転送する。ＨＤＭＩはデジタル映像データ及びデジタル音声データを転送するために、ＤＶＩをベースとして規格化されたインターフェースである。ＨＤＭＩでは図２に示すように、映像データ及び音声データが時分割及びシリアル（１ビットデータ）で転送される。ＨＤＭＩ機器１０９は、例えばＤＶＤ(Digital Versatile Disk)プレーヤあるいはＳＴＢ(Set Top Box)等のＡＶ機器である。ＤＶＩ機器１１０は例えばＰＣであり、アナログ機器１０８は例えばＶＴＲ(Video Tape Recorder)である。
【００１６】
入力端子１４には、図示しないアンテナで受信された放送信号が入力される。入力端子１４より入力された放送信号から、チューナ８により特定の番組データが抽出される。チューナ８はＢＳデジタル等のデジタル放送を受信可能なデジタルチューナであるが、アナログ地上波放送を受信する機能も有している。チューナ８により抽出された番組データはデコーダ９によってデコードされる。ＨＤＤ（ハードディスクドライブ）５はＨＤＭＩ信号処理部４又はチューナ８からの映像及び音声データを記録する。
【００１７】
出力制御部１１は、入力信号がデジタル信号の場合は該入力信号に対してＤ／Ａ変換処理及び増幅処理を行い、入力信号がアナログ信号の場合は該入力信号に対して増幅処理を行う。出力制御部１１により処理された映像信号は表示部１２に供給されて映像が表示され、音声信号はスピーカ１３に供給されて音声が出力される。
【００１８】
グラフィック処理部１０は、文字や線で構成されるテレビジョン受信機１００の各種設定画面等を表示部１２に表示させる際の表示データを生成する。グラフィック処理部１０にて生成された表示データは、出力制御部１１において番組データ等の映像データと合成されて表示部１２に表示される。
【００１９】
次に、ＨＤＭＩ信号処理部４について説明する。ＨＤＭＩ信号処理部４は、入力信号がＨＤＭＩ信号の場合は映像及び音声信号を出力し、入力信号がＤＶＩ信号の場合は映像信号のみ出力する。
【００２０】
図３はＨＤＭＩ信号処理部４の構成を示すブロック図である。ＨＤＭ１信号処理部４は、ＨＤＭＩ受信回路１１１、ＥＤＩＤメモリ１１２、ＨＤＣＰメモリ１１３、映像信号出力回路１１４、音声信号出力回路１１５、及びサブ制御部１１６を備えている。
【００２１】
ＥＤＩＤメモリ１１２は、例えばディスプレイに関する制御データを記憶する。ＥＤＩＤ(Extended Display Identification Data)は、ディスプレイ側（表示部１２）からホスト側（ＨＤＭＩ機器１０９、ＤＶＩ機器１１０）に対し、ディスプレイ側の情報（解像度、画素数等）を認識させるためのデータである。ＨＤＣＰ(High Band Digital Content Protection)メモリ１１３は、切替スイッチ３を介して入力されるデジタル入力信号のコピープロテクトを制御するためのキーデータを記憶する。サブ制御部１１６はＣＰＵ６からの指示に基づいてＨＤＭＩ信号処理部４を制御する。
【００２２】
ＨＤＭＩ信号処理部４は、切替えスイッチ３により選択されたデジタル信号に含まれる映像信号を抽出し、抽出された映像信号は映像信号出力回路１１４を介して出力制御部１１に出力される。又ＨＤＭＩ信号処理部４は、切替えスイッチ３により選択されたデジタル信号に含まれる音声信号を抽出し、抽出された音声信号は音声信号出力回路１１５を介して出力制御部１１に出力される。尚、ＨＤＭ１受信回路１１１から出力される映像データ及び音声データは、共に複数ビットで構成されるデータである。
【００２３】
映像信号出力回路１１４及び音声信号出力回路１１５は共にＤ／Ａ変換器を含んでも良い。そのような場合、映像信号出力回路１１４及び音声信号出力回路１１５から出力されるアナログ信号は出力制御部１１により増幅されて、表示部及びスピーカ１３にそれぞれ供給される。
【００２４】
次に本発明に係る信号切替処理について説明する。
【００２５】
図４は切替えスイッチ３を用いたＣＰＵ６の切替え処理を示すフローチャートである。
【００２６】
ＣＰＵ６は操作部１５を介したユーザからの外部入力選択指示を待機する（ＳＴ０１）。外部入力選択指示を受信すると（ＳＴ０１でＹＥＳ）、ＣＰＵ６はＨＤＭＩ機器が選択されたか判断し（ＳＴ０２）、ＨＤＭＩ機器が選択された場合、ＨＤＭＩ入力端子からの信号を選択し出力するように、切替スイッチ３を設定する（ＳＴ０３）。切替スイッチ３により選択された信号はＨＤＭＩ信号処理部４に供給される。ＨＤＭＩ機器が選択されたか判断の判断は、例えばデジタル映像信号とデジタル音声信号の両者が受信されたときはＨＤＭＩ機器が選択されたものとして判断する。
【００２７】
ステップＳＴ０２でＮＯの場合、ＣＰＵ６はＤＶＩ機器が選択されたかを判断し（ＳＴ０４）、ＤＶＩ機器が選択された場合、ＤＶＩ入力端子からの信号を選択し出力するように、切替スイッチ３を設定する（ＳＴ０５）。ＤＶＩ機器が選択されたか否かの判断は、例えばデジタル映像信号が入力されても、デジタル音声信号が入力されなかった場合は、ＤＶＩ機器が選択されたと判断する。
【００２８】
さらに、判断ステップＳＴ０４でＮＯの場合、ＣＰＵ６はアナログ機器が選択されたかを判断し（ＳＴ０６）、アナログ機器が選択された場合、アナログ入力端子からの信号を選択し出力するように、切替スイッチ３を設定する（ＳＴ０７）。アナログ機器が選択されたか否かの判断は、アナログの映像信号が入力された場合にアナログ機器が選択されたと判断する。切替スイッチ３により選択されたアナログ信号は出力制御部に供給される。
【００２９】
こうして、各入力信号の種類を判別することにより、いずれかの端子１ａ，１ｂ，２に入力された信号を自動的に選択することができる。尚、ＨＤＭＩ機器およびＤＶＩ機器からの信号が端子１ａ，１ｂにそれぞれ供給された場合には、いずれか一方、例えばＨＤＭＩ機器を優先的に選択するようにしても良い。
【００３０】
以上説明したように本発明によれば、ＨＤＭＩ機器及びＤＶＩ機器を変換ケーブルではなく、それぞれ専用ケーブルを用いてテレビ受信機と接続するだけで、映像及び音声信号の再生が可能となる。
【００３１】
又、ＨＤＭＩを介して入力される信号と、ＤＶＩを介して入力される信号を、切替えスイッチ３により切替え、共通の信号処理部４を用いて映像を再生できるので、回路構成が信号切替えのために複雑となることはない。つまり、テレビジョン受信機のコストアップを抑えることが出来る。
【００３２】
以上の説明はこの発明の実施の形態であって、この発明の装置及び方法を限定するものではなく、様々な変形例を実施することができる。そのような変形例も本発明に含まれるものである。例えば、ＨＤＭＩ機器又はＤＶＩ機器を複数接続できる構成も有効である。あるいはＨＤＭＩ機器及びＤＶＩ機器に限らず、データ構成が互いに異なる信号を送信する２以上の機器を入力側の機器として接続する装置に本発明を適用することができる。又、各実施形態における構成要素、機能、特徴あるいは方法ステップを適宜組み合わせて構成される装置又は方法も本発明に含まれるものである。
【図面の簡単な説明】
【００３３】
【図１】本発明の一実施形態が適用されるテレビジョン受信機１００の構成を示すブロック図である。
【図２】ＨＤＭＩにより転送されるデータの構成を示す図である。
【図３】ＨＤＭＩ信号処理部４の構成を示すブロック図である。
【図４】切替えスイッチ３を用いたＣＰＵ６の切替え処理を示すフローチャートである。
【符号の説明】
【００３４】
１ａ…ＤＶＩ入力端子、１ｂ…ＨＤＭＩ出力端子、２…アナログ信号ケーブル、１００…テレビジョン受信機、１０５…ＨＤＭＩケーブル、１０６…ＤＶＩケーブル、１０７…アナログ信号ケーブル。
【図１】
2006019947.tif 000003
【図２】
2006019947.tif 000004
【図３】
2006019947.tif 000005
【図４】
2006019947.tif 000006